(57)【要約】【課題】  厚みが薄く、しかも、構造が簡素な、複数のカードと接続するコネクタを提供する。【解決手段】  コネクタ１を第１のカード２１に対して平行に、（Ａ）に示される接続前の状態から接近させると、第１のコネクタ部３の各第１のコンタクト５は同カードの各接点部に接触し、（Ｂ）に示される接続状態に至る。この際、アクチュエータ９の各カム部９ａが同カードの下面に当接するから、第２のコネクタ部６の各第２のコンタクト８の弾性変形可能部８ａは下方へ弾性変形するので、湾曲突出部８ａ１は同カードに接触することを防止される。各第２のコンタクトがアダプタ（図示せず）に装着された第２のカードに接触する際は、各カム部はアダプタに形成された一対の逃げ部に進入するため、支障は生じない。【選択図】  図７
2006114243.tif 000002
【特許請求の範囲】
【請求項１】
複数のカードと接続するコネクタにおいて、
前記コネクタは、第１のカードと接続する第１のコンタクトを備える第１のコネクタ部と、第２のカードと接続する第２のコンタクトを備える第２のコネクタ部とを有し、
前記第１のコンタクトと前記第１のカードとは、嵌合離脱方向で接続し、
前記第２のコンタクトと前記第２のカードとは、前記嵌合離脱方向と交差する方向で接続し、
前記第１のカードと接続する際、前記第２のコンタクトは前記第１のカードに接触せず、
前記第２のカードと接続する際、前記第１のコンタクトは前記第２のカードと接触しないことを特徴とする複数のカードと接続するコネクタ。
【請求項２】
前記第２のコネクタ部は、アクチュエータを備え、前記アクチュエータが前記第１のカードに当接することによって、前記第２のコンタクトは前記第１のカードに接触しないことを特徴とする請求項１記載の複数のカードと接続するコネクタ。
【請求項３】
前記第２のカードはアダプタに装着され、前記アダプタに逃げ部が形成され、前記第２のコンタクトと前記第２のカードとが接続する際、前記アクチュエータが前記逃げ部に進入することによって所要の接続が行われることを特徴とする請求項２記載の複数のカードと接続するコネクタ。
【請求項４】
前記アクチュエータにカム部が設けられ、前記カム部が前記第１のカードに当接することを特徴とする請求項２記載の複数のカードと接続するコネクタ。
【請求項５】
前記アクチュエータにカム部が設けられ、前記カム部が前記逃げ部に進入することを特徴とする請求項３記載の複数のカードと接続するコネクタ。
【発明の詳細な説明】
【技術分野】
【０００１】
本発明は、複数の種類が異なるカードと選択して接続するコネクタに関する。
【背景技術】
【０００２】
従来の技術としてメモリカード接続アダプタについて図１０を参照して説明する（例えば、特許文献１参照。）。
【０００３】
図１０（Ａ）は、メモリカード接続アダプタ及びこれに装着される２種類のメモリカードと、パーソナル・コンピュータの斜視図、図１０（Ｂ）は同アダプタの要部の下面側の斜視図を、それぞれ示す。
【０００４】
パーソナル・コンピュータの本体４１には、スロット４２が形成されている。
【０００５】
メモリカード接続アダプタ（以下「アダプタ」という。）４３を使用することによって、複数のメモリカード、例えば予め情報が記憶されている小さい切手程度のサイズのＳＤ（セキュアリ・デジタル）カード５５と、これとはタイプが異なる名刺の半分程度のサイズのメディアカード５６とが、スロット４２に装着される。
【０００６】
アダプタ４３の本体４４は、スロット４２に対して挿入排出可能な形状に形成され、先端側から矢印ａ方向にスロット４２に挿入される。本体４４の全体がスロット４２に挿入されると、本体４４の先端部に形成された端子部４５は、スロット４２に設けられている接点（図示せず）を介して、パーソナル・コンピュータの各種電子回路が搭載されている回路基板（図示せず）に導通する。
【０００７】
また、本体４４の表面、具体的には端子部４５がある先端部を除く本体４４の長手方向の各側面４４ａ及び短手方向の端面４４ｂの周面（厚み方向の面）のうち、挿入方向後側となる端面４４ｂの中央には、２種類のメモリカードの挿入口４６ａ，４６ｂが厚み方向に並んで形成されている。各挿入口４６ａ，４６ｂは、本体４４の内部へ続いており、内部には、ＳＤカード５５を所定の向きで収容するスロット４７ａとメディアカード５６を所定の向きで収容するスロット４７ｂが形成されている。また、スロット４７ａの内面には、ＳＤカード５５の先端部下面に形成される端子部４８ａと導通する接点部（図示せず）が形成され、スロット４７ｂの内面には、メディアカード５６の上面に形成されている端子部４９ａと導通する接点部（図示せず）が形成されている。そして、両接点部は、それぞれ導電路５０，５１を介して端子部４５に接続され、本体４４を通じて、各カード５５，５６の情報がパーソナル・コンピュータに読取られたり、反対にパーソナル・コンピュータの情報が各カード５５，５６に書込まれたりする。
【０００８】
本体４４には、各スロット４７ａ，４７ｂ内に収容されたＳＤカード５５、メディアカード５６を排出するためのイジェクト機構５２ａ，５２ｂが設けられている。ＳＤカード５５のイジェクト機構５２ａは、Ｌ字形の帯板状のレバー５３で構成される。レバー５３は、長手部分５３ａが挿入口４６ａへ向き、短手部分５３ｂが反対側のスロット底側へ向いて、本体４４の上面に配置されている。短手部分５３ｂは、本体４４の壁部分に形成されたスリット孔（本体４４の幅方向に延びる細孔、図示せず）を貫通して、スロット４７ａの先端に臨む。また、長手部分５３ａと短手部分５３ｂ間の角部分５３ｃは、スリット孔の端面を形成する壁面に回動可能に支持される。この構造によって、スロット４７ａ内にＳＤカード５５が収容されると、レバー５３の長手部分５３ａが倒れて、本体４４の上面に形成されている凹部（図示せず）に収納される。この状態から矢印ｂ方向に長手部分５３ａを起すと、短手部分５３ｂが回動して、てこの原理により、ＳＤカード５５の先端を後方へ押圧する。したがって、ＳＤカード５５の後端側は、カード挿入口４６ａから外部へ押し出される。なお、凹部の縁部には、レバー５３の長手部分５３ａを指先で引っ掛け易くするための窪み４４ｘが形成されている。
【０００９】
メディアカード５６のイジェクト機構５２ｂにも、本体４４の下面に、レバー５３と同様のレバー５４が採用されている。レバー５４は、長手部分５４ａが挿入口４６ｂへ向き、短手部分５４ｂが反対側のスロット上側へ向いて、本体４４の下面に配置されている。長手部分５４ａと短手部分５４ｂの間に角部分５４ｃが形成される。
【００１０】
本体４４の側面４４ａの後部寄りには、グラウンド用接片４４ｙが設けられている。
【００１１】
ＳＤカード４５とメディアカード４６をアダプタ４３に装着した後、端子部４５を先頭にして、アダプタ４３をスロット４２に挿入する。すると、両カード４５，４６は、アダプタ３の導電路５０，５１、スロット４２内の接点ピンを通じて、パーソナル・コンピュータの回路基板に接続する。
【００１２】
ＳＤカード５５、メディアカード５６を交換する場合には、イジェクトボタン４２ａを押すことによって、スロット４２からアダプタ４３を排出する。この後、レバー５３，５４を起して、スロット４７ａ，４７ｂからＳＤカード５５、メディアカード５６を排出し、次に使用するＳＤカードとメディアカードをスロット４７ａ，４７ｂに挿入する。
【００１３】
【特許文献１】特開２００１−１８８８８３号公報（第２頁第２欄第１４行〜第３頁第４欄第３行、図１，２）
【発明の開示】
【発明が解決しようとする課題】
【００１４】
前記従来のメモリカード接続アダプタは、２種類のメモリカードを使用することができるが、アダプタの厚みが大きくなり、また、構造が複雑になる。
【００１５】
そこで、本発明は、前記従来の技術の欠点を改良し、厚みが薄く、しかも、構造が簡素で、実装スペースが少ない複数のカードと接続するコネクタを提供しようとするものである。また、複数のカードが挿入される同一のスロットを持つ複数のコネクタ部を備えることにより、それぞれのコネクタ部をそれぞれ異なる規格専用のコネクタ部とし、異なる規格のカードと接続することができ、カードが持つ高速性能を損なうことがないコネクタを提供しょうとするものである。
【課題を解決するための手段】
【００１６】
本発明は、前記課題を解決するため、次の手段を採用する。
【００１７】
１．複数のカードと接続するコネクタにおいて、前記コネクタは、第１のカードと接続する第１のコンタクトを備える第１のコネクタ部と、第２のカードと接続する第２のコンタクトを備える第２のコネクタ部とを有し、前記第１のコンタクトと前記第１のカードとは、嵌合離脱方向で接続し、前記第２のコンタクトと前記第２のカードとは、前記嵌合離脱方向と交差する方向で接続し、前記第１のカードと接続する際、前記第２のコンタクトは前記第１のカードに接触せず、前記第２のカードと接続する際、前記第１のコンタクトは前記第２のカードと接触しない複数のカードと接続するコネクタ。
【００１８】
２．前記第２のコネクタ部は、アクチュエータを備え、前記アクチュエータが前記第１のカードに当接することによって、前記第２のコンタクトは前記第１のカードに接触しない前記１記載の複数のカードと接続するコネクタ。
【００１９】
３．前記第２のカードはアダプタに装着され、前記アダプタに逃げ部が形成され、前記第２のコンタクトと前記第２のカードとが接続する際、前記アクチュエータが前記逃げ部に進入することによって所要の接続が行われる前記２記載の複数のカードと接続するコネクタ。
【００２０】
４．前記アクチュエータにカム部が設けられ、前記カム部が前記第１のカードに当接する前記２記載の複数のカードと接続するコネクタ。
【００２１】
５．前記アクチュエータにカム部が設けられ、前記カム部が前記逃げ部に進入する前記３記載の複数のカードと接続するコネクタ。
【発明の効果】
【００２２】
明細書の説明から明らかなように、本発明は、次の効果を奏する。
【００２３】
１．複数の種類が異なるカードと選択して接続するので、コネクタの厚みを薄く構成することができる。
【００２４】
２．第１のコネクタ部が第１のカードと接続するとき、第１のカードと第２のコンタクトとの間には、アクチュエータの存在によって支障は生じない。
【００２５】
３．第１のコネクタ部と、アクチュエータを備える第２のコネクタ部とから構成されるので、構造が簡素となる。更に、部品点数が少なく、コストが安価となり、組立分解を簡易に行うことができる。
【００２６】
４．異なる規格のカードと接続する専用のそれぞれのコネクタ部を設けたので、それぞれのカードが持つ高速性能を損なうことがない。
【発明を実施するための最良の形態】
【００２７】
本発明の一実施例の複数のカードと接続するコネクタについて説明する。
【実施例１】
【００２８】
本発明の実施例１について図１〜図９を参照して説明する。
【００２９】
図１は、コネクタ１における要部であり、（Ａ）は平面図、（Ｂ）は（Ａ）における線Ａ−Ａによる断面図を、それぞれ示す。
【００３０】
図２は、第２のカードが接続されるアダプタ１１の諸図であり、（Ａ）は正面図、（Ｂ）は平面図、（Ｃ）は後面図、（Ｄ）は側面図、（Ｅ）は下面図を、それぞれ示す。
【００３１】
図３は、第２のカード３１がアダプタ１１に接続された状態の諸図であり、（Ａ）は正面図、（Ｂ）は平面図、（Ｃ）は後面図、（Ｄ）は側面図、（Ｅ）は下面図を、それぞれ示す。
【００３２】
図４は、コネクタ１における第１のコネクタ部３と第２のコネクタ部６の正面図である。
【００３３】
図５は、第１のカード２１の正面図である。
【００３４】
図６は、第２のカード３１がアダプタ１１に接続された状態の正面図である。
【００３５】
図７は、コネクタ１における第１のコネクタ部３と第１のカード２１との接続前後の要部の断面図であり、（Ａ）は接続前、（Ｂ）は接続後を、それぞれ示す。
【００３６】
図８は、コネクタ１における第２のコネクタ部６と、アダプタ１１に接続された第２のカード３１との接続前後の要部の断面図であり、（Ａ）は接続前、（Ｂ）は接続後を、それぞれ示す。
【００３７】
図９は、第２のコネクタ部６にアクチュエータ９が欠如する場合の断面図であり、（Ａ）は図７（Ａ）の状態、（Ｂ）は図８（Ａ）の状態を、それぞれ示す。
【００３８】
コネクタ１における要部は、図７と図８に示されるように、第１のコネクタ部３と第２のコネクタ部６とから構成される。コネクタ１は、基板２に搭載される。
【００３９】
第１のコネクタ部３は、インシュレータ４と、インシュレータ４に保持される多数の第１のコンタクト５とを有する。多数の第１のコンタクト５は、それぞれクランク状に形成され、２列に平行に配列される。各第１のコンタクト５の先端部は、第１のカード２１に対する嵌合離脱方向に直線状に構成される。
【００４０】
インシュレータ４の下部前方には、第２のコネクタ部６が設置される。第２のコネクタ部６は、インシュレータ７と、インシュレータ７に保持される多数の第２のコンタクト８と、各第２のコンタクト８に固定されるアクチュエータ９とを有する。各第２のコンタクト８がインシュレータ７から突出してアクチュエータ９を支持するまでの部分は、弾性変形可能部８ａに構成され、弾性変形可能部８ａが両メモリカード２１，３１に対向する側には、湾曲突出部８ａ１が形成される。アクチュエータ９には、一対のカム部９ａが設けられる。
【００４１】
カム部９ａは、長手方向の中央の１箇所でも、両側と併せて３箇所でもよく、個数は限定されない。
【００４２】
アダプタ１１には、図６に示されるように、アクチュエータ９のカム部９ａに対する一対の逃げ部１１ａが形成される。逃げ部１１ａも個数は限定されない。
【００４３】
コネクタ１の第１のコネクタ部３と第１のカード２１との接続について、図７を参照して説明する。
【００４４】
コネクタ１を第１のカード２１に対して平行に、図７（Ａ）に示される接続前の状態から接近させると、各第１のコンタクト５は第１のカード２１の各接点部（図示せず）に接触し、図７（Ｂ）に示される接続状態に至る。この際、アクチュエータ９の各カム部９ａが第１のカード２１の下面に当接するから、各第２のコンタクト８の弾性変形可能部８ａは下方へ弾性変形するので、湾曲突出部８ａ１は第１のカード２１に接触することを防止される。
【００４５】
コネクタ１の第２のコネクタ部６と第２のカード３１との接続について、図８を参照して説明する。
【００４６】
コネクタ１をアダプタ１１に装着されている第２のカード３１に対して平行に、図８（Ａ）に示される接続前の状態から接近させると、各第２のコンタクト８の湾曲突出部８ａ１は第２のカード３１の各接点部３１ａに接触し、図８（Ｂ）に示される接続状態に至る。この際、アクチュエータ９の各カム部９ａはアダプタ１１の各逃げ部１１ａに進入し、また、各第１のコンタクト５はアダプタ１１の凹部（図示せず）に進入するので、接続は支障なく行われる。
【００４７】
なお、コネクタ１がアクチュエータ９を欠如すると、各第２のコンタクト８の湾曲突出部８ａ１は、図９（Ａ）に照らすと、第１のカード２１の下面に接触し、また、図９（Ｂ）に照らすと、第２のカード３１の各接点部３１ａ以外の部位にも接触する。したがって、アクチュエータ９は、このような支障の発生を防止する役割を果す。
【００４８】
本実施例１においては、第２のカード３１をアダプタ１１に接続するが、アダプタ１１を省略して、第２のカード３１を直接電子機器に接続することもできる。
【図面の簡単な説明】
【００４９】
【図１】本発明の実施例１のコネクタの要部であり、（Ａ）は平面図、（Ｂ）は（Ａ）における線Ａ−Ａによる断面図を、それぞれ示す。
【図２】第２のカードが接続されるアダプタの諸図であり、（Ａ）は正面図、（Ｂ）は平面図、（Ｃ）は後面図、（Ｄ）は側面図、（Ｅ）は下面図を、それぞれ示す。
【図３】同第２のカードが同アダプタに接続された状態の諸図であり、（Ａ）は正面図、（Ｂ）は平面図、（Ｃ）は後面図、（Ｄ）は側面図、（Ｅ）は下面図を、それぞれ示す。
【図４】同コネクタにおける第１のコネクタ部と第２のコネクタ部の正面図である。
【図５】第１のカードの正面図である。
【図６】同第２のカードが同アダプタに接続された状態の正面図である。
【図７】同コネクタにおける同第１のコネクタ部と同第１のカードとの接続前後の要部の断面図であり、（Ａ）は接続前、（Ｂ）は接続後を、それぞれ示す。
【図８】同コネクタにおける同第２のコネクタ部と、同アダプタに接続された同第２のカードとの接続前後の要部の断面図であり、（Ａ）は接続前、（Ｂ）は接続後を、それぞれ示す。
【図９】同コネクタにおける同第２のコネクタ部にアクチュエータが欠如する場合の断面図であり、（Ａ）は図７（Ａ）の状態、（Ｂ）は図８（Ａ）の状態を、それぞれ示す。
【図１０】（Ａ）は従来のメモリカード接続アダプタ及びこれに装着される２種類のメモリカードと、パーソナル・コンピュータの斜視図、（Ｂ）は同アダプタの要部の下面側の斜視図を、それぞれ示す。
【符号の説明】
【００５０】
１  コネクタ
２  基板
３  第１のコネクタ部
４  インシュレータ
５  第１のコンタクト
６  第２のコネクタ部
７  インシュレータ
８  第２のコンタクト
８ａ  弾性変形可能部
８ａ１  湾曲突出部
９  アクチュエータ
９ａ  カム部
１１  アダプタ
１１ａ  逃げ部
１２  スロット
２１  第１のカード
３１  第２のカード
３１ａ  接点部
【図１】
2006114243.tif 000003
【図２】
2006114243.tif 000004
【図３】
2006114243.tif 000005
【図４】
2006114243.tif 000006
【図５】
2006114243.tif 000007
【図６】
2006114243.tif 000008
【図７】
2006114243.tif 000009
【図８】
2006114243.tif 000010
【図９】
2006114243.tif 000011
【図１０】
2006114243.tif 000012